(57)【特許請求の範囲】
【請求項１】
乗かごの上部に一端が連結し、他端がトラクションマシンを介してカウンタウェートに連結するメインロープと、このメインロープと重量をバランスさせるため、一端が前記乗かごの下部に、他端がコンペンロープウェートプーリを介してカウンタウェートにそれぞれ連結される複数のコンペンロープと、前記コンペンロープウェートプーリを回動可能に支持する枠とを備えたエレベータにあって、前記コンペンロープが前記コンペンロープウェートプーリの溝から外れることを防止するエレベータのコンペンロープ外れ止め装置において、
前記枠の上部に、各コンペンロープ間に位置するとともに、前記コンペンロープウェートプーリ中心側から前記コンペンロープウェートプーリの外周方向に向かって伸長する複数の突出部を有し、この伸長方向端が解放されたくし体を設けたことを特徴とするエレベータのコンペンロープ外れ止め装置。
【請求項２】
前記くし体は、前記突出部の付根部が円弧状に形成されることを特徴とする請求項１記載のエレベータのコンペンロープ外れ止め装置。
【発明の詳細な説明】
【技術分野】
【０００１】
本発明は、コンペンロープがコンペンロープウェートプーリの溝から外れることを防止するエレベータのコンペンロープ外れ止め装置に関する。
【背景技術】
【０００２】
エレベータには、メインロープと重量をバランスさせるため、一端が乗かごの下部に、他端がコンペンロープウェートプーリ（以下、プーリと称する。）を介してカウンタウェートにそれぞれ連結される複数のコンペンロープが設けられている。このような構造のエレベータにあって、単にコンペンロープをプーリに巻き掛けると、エレベータの走行中、地震や風による建物の揺れ等によりコンペンロープにたるみが生じた状態で、コンペンロープが振れた際、コンペンロープがプーリの溝から外れる恐れがあった。このため、従来、プーリの枠上部に、各ロープ間に位置する突出部を有するくし状のロープ外れ止めを外枠に装着するようにしたもの（例えば、特許文献１参照）、或いは、プーリの枠に、プーリに対向してロープ外れ止め板をボルトにより固着するとともに、ロープ外れ止め板とプーリの溝端面との空隙寸法をロープ径の１/４以下に設定したものが提案されている（例えば、特許文献２参照）。
【特許文献１】特公昭５３−３３８１６号
【特許文献２】実公平３−８６９５号
【発明の開示】
【発明が解決しようとする課題】
【０００３】
しかしながら、従来の前者ものでは、ロープ外れ止めの突出部がプーリの外周側からプーリ中心に向かって伸長する構造となっており、したがって、エレベータ走行中に建物が横揺れを起こし、これに伴いコンペンロープが振れ、ロープ同士が絡み合った状態でプーリ位置に移動してきた場合、ロープ外れ止めの突出部で各ロープを離隔することができず、これによって、コンペンロープが他のコンペンロープの背後に廻り込んだ状態でプーリに巻き取られ、プーリの溝から外れてしまうという問題があった。
【０００４】
また、後者のものでは、ロープ同士が絡み合った状態でプーリ位置に移動してくると、重なったコンペンロープがロープ外れ止め板とプーリの溝端面との空隙に入り込み、固渋を招く恐れがあった。
【０００５】
本発明は、前述した従来技術における実状からなされたもので、その目的は、コンペンロープの円滑な移動を実現することのできるエレベータのコンペンロープ外れ止め装置を提供することにある。
【課題を解決するための手段】
【０００６】
前記目的を達成するために、本発明の請求項１に係る発明は、乗かごの上部に一端が連結し、他端がトラクションマシンを介してカウンタウェートに連結するメインロープと、このメインロープと重量をバランスさせるため、一端が前記乗かごの下部に、他端がコンペンロープウェートプーリを介してカウンタウェートにそれぞれ連結される複数のコンペンロープと、前記コンペンロープウェートプーリを回動可能に支持する枠とを備えたエレベータにあって、前記コンペンロープが前記コンペンロープウェートプーリの溝から外れることを防止するエレベータのコンペンロープ外れ止め装置において、前記枠の上部に、各コンペンロープ間に位置するとともに、前記コンペンロープウェートプーリ中心側から前記コンペンロープウェートプーリの外周方向に向かって伸長する複数の突出部を有し、この伸長方向端が解放されたくし体を設けたことを特徴としている。
【０００７】
このように構成した本発明の請求項１に係る発明では、エレベータ走行中に建物が横揺れを起こし、これに伴いコンペンロープが振れ、ロープ同士が絡み合った状態でプーリ位置に移動してきた場合、プーリ中心側からプーリの外周方向に向かって伸長する複数の突出部により各ロープを離隔し、コンペンロープが他のコンペンロープの背後に廻り込んだ状態でプーリに巻き取られることを防止する。また、一方端が開放されたくし体によりコンペンロープの移動を案内する構造であることから、コンペンロープがくし体とプーリとの間で固渋することもない。これによって、コンペンロープの円滑な移動を実現することができる。
【０００８】
また、本発明の請求項２に係る発明は、前記くし体は、前記突出部の付根部が円弧状に形成されることを特徴としている。
【０００９】
このように構成した本発明の請求項２に係る発明では、コンペンロープが変位し、くし体と接触した際に、コンペンロープが損傷することを防ぐことができる。
【発明の効果】
【００１０】
本発明によれば、エレベータ走行中にコンペンロープが振れ、ロープ同士が絡み合った状態となった場合でも、コンペンロープが他のコンペンロープの背後に廻り込んだ状態でプーリに巻き取られることを防止することで、コンペンロープがプーリの溝から外れエレベータの緊急停止を要する事態となることを回避することができる。また、一方端が開放されたくし体によりコンペンロープの移動を案内する構造であることから、コンペンロープがくし体とプーリとの間で固渋することがない。したがって、エレベータの信頼性及びサービス性の向上を図ることができる。
【発明を実施するための最良の形態】
【００１１】
以下、本発明のエレベータのコンペンロープ外れ止め装置に係る実施の形態を図に基づいて説明する。
【００１２】
図１は本発明のエレベータのコンペンロープ外れ止め装置に係る一実施形態を示すプーリ部の平面図、図２はプーリ部の側面図、図３はくし体の要部拡大図、図４はコンペンロープ外れ止め装置が適用されるエレベータの概略構造図である。
【００１３】
エレベータは図４に示すように、昇降路を昇降する昇降体、即ち、乗かご１及びカウンタウェート２と、これらの乗かご１及びカウンタウェート２に接続されるメインロープ３と、このメインロープ３の中間部が巻き掛けられ、メインロープ３を駆動するトラクションマシン４と、トラクションマシン４に隣接して配置され、メインロープ３が巻き掛けられるそらせプーリ５と、一端が乗かご１の下部に、他端がカウンタウェート２にそれぞれ連結され、メインロープ３と重量をバランスさせるために設けられた複数のコンペンロープ６と、昇降路下部に配置され、コンペンロープ６に張力を与えるコンペンロープウェートプーリ、即ちプーリ７と、昇降路底に固定され、プーリ７を上下に案内するレール８とを有しており、トラクションマシン４の回転により乗かご１及びカウンタウェート２が昇降し、これに同期してコンペンロープ６が移動するとともに、プーリ７が回転するようになっている。
【００１４】
また、プーリ７は、図１及び図２に示すように、ボルト１４、１４´で一体的に形成された対となる枠１１、１１´により回動可能に支持されている。即ち、枠１１、１１´にプーリ軸１５が挿通され、このプーリ軸１５にプーリ７が図示しないボールベアリングを介して取付けられることで回動可能となっている。さらに、枠１１、１１´にはボルト１７、１７´によりガイド片１６、１６´が取付けられており、これらのガイド片１６、１６´がレール８、８´に係合することにより、プーリ７を上下方向に案内するようになっている。
【００１５】
そして、本実施形態のコンペンロープ外れ止め装置として、枠１１、１１´の上部に、各コンペンロープ６間に位置するとともに、プーリ７中心側からプーリ７の外周方向に向かって伸長する複数の突出部１８ａを有するくし体１８がボルト１９、１９´を介して取付けられている。また、くし体１８は、図３に示すように、突出部１８ａの付根部１８ｂが円弧状に形成されている。
【００１６】
本実施形態にあっては、エレベータ走行中に建物が横揺れを起こし、これに伴いコンペンロープ６が振れ、例えば、隣接するコンペンロープ６、６´同士が絡み合った状態でプーリ７位置に移動してきた場合、プーリ７中心側からプーリ７の外周方向に向かって伸長する突出部１８ａによりロープ６とロープ６´とを離隔し、例えばコンペンロープ６がコンペンロープ６´の背後に廻り込んだ状態でプーリ７に巻き取られることを防止する。また、コンペンロープ６が変位し、くし体１８と接触した際に、突出部１８ａの付根部１８ｂが円弧状に形成されていることからコンペンロープ６が損傷することがない。さらに、一方端が開放されたくし体１８によりコンペンロープ６の移動を案内する構造であることから、コンペンロープ６がくし体１８とプーリ７との間で固渋することもない。
【００１７】
本実施形態によれば、エレベータ走行中にコンペンロープ６が振れ、ロープ同士が絡み合った状態となった場合でも、コンペンロープ６がプーリ７の溝から外れエレベータの緊急停止を要する事態となることを回避することができる。また、一方端が開放されたくし体１８によりコンペンロープ６の移動を案内する構造であることから、コンペンロープ６がくし体１８とプーリ７との間で固渋することがない。したがって、エレベータの信頼性及びサービス性の向上を図ることができる。
【００１８】
なお、本実施形態では、くし体１８の突出部１８ａの数を４本とし、３本のコンペンロープ６を有するエレベータに対応可能としたが、くし体１８の突出部１８ａの数はコンペンロープの本数に応じ任意に設定可能であることは言うまでもない。
【図面の簡単な説明】
【００１９】
【図１】本発明のエレベータのコンペンロープ外れ止め装置に係る一実施形態を示すプーリ部の平面図である。
【図２】プーリ部の側面図である。
【図３】くし体の要部拡大図である。
【図４】コンペンロープ外れ止め装置が適用されるエレベータの概略構造図である。
【符号の説明】
【００２０】
１  乗かご
２  カウンタウェート
３  メインロープ
４  トラクションマシン
５  そらせプーリ
６  コンペンロープ
７  コンペンロープウェートプーリ（プーリ）
８  レール
１１、１１´  枠
１４、１４´  ボルト
１５  プーリ軸
１６、１６´  ガイド片
１７、１７´  ボルト
１８  くし体
１８ａ  突出部
１８ｂ  付根部
【図１】
0005080960.tif 000002
【図２】
0005080960.tif 000003
【図３】
0005080960.tif 000004
【図４】
0005080960.tif 000005